(57)【要約】【課題】単線に比べ断線事故が少なく、良い再生音が得られ、十分に高帯域な信号の伝達が可能で、音色も色々選択できるラインケーブルを提供することである。【解決手段】２本のコア線材１ａ，１ｂを所定のピッチで撚り合わせたコア部材１と、２本の上記コア線材より細い径の信号線材２ａ，２ｂを上記コア線材の撚りピッチより短いピッチで撚り合わせた信号線材２と、でラインケーブルを構成する。信号線材２ａ，２ｂは、コア線材１ａ，１ｂの撚り合わせにより形成された窪み状の溝３に沿わせて巻き付けてある。【選択図】  図１
2004273240.tif 000002
【特許請求の範囲】
【請求項１】
少なくとも２本のコア線材を任意なピッチで撚り合わせたコア部材と、
少なくとも２本の上記コア線材より細い径の信号線材を上記コア線材の撚りピッチより短いピッチで撚り合わせた信号線材とを備え、
上記信号線材をコア線材の撚り合わせにより形成された窪み状の溝に沿わせて巻き付けたことを特徴とするラインケーブル。
【請求項２】
前記信号線材は０．８ｍｍ以下の線径であることを特徴とする請求項１記載のラインケーブル。
【請求項３】
前記コア線材と信号線材の撚り方向を逆にしたことを特徴とする請求項１記載のラインケーブル。
【請求項４】
前記コア部材を電気的に未使用としたことを特徴とする請求項１記載のラインケーブル。
【発明の詳細な説明】
【０００１】
【発明の属する技術分野】
本発明は、主として音響機器間等の信号伝達に使用して好適なラインケーブルの改良に関する。
【０００２】
【従来の技術】
従来より音響機器間の信号伝達用のラインケーブルの電線（導体）には、その取り扱いの良さから撚り線が広く使用されている。
しかし上記撚り線に代えて単線を使用することも提案されており、これによると撚り線とは違う音質が得られ、またその音の良いことも知られていたが、下記のような欠点があり、製品化されているのは僅かであった。
即ち、その欠点の一つは、撚り線に比べ柔らかさが足りず、取り扱いが少し面倒であり、また断線事故の心配があることである。
【０００３】
また音質上の問題として単純に単線で２芯ケーブル（例えばＲＣＡピンケーブル等）や３芯ケーブル（例えばＸＬＲバランスケーブル等）を２本撚りとか３本撚りで製作すると、聴感上、音質は良いのだが、芯線に細い線を使用すると高域は良く出るが、低域が軽い感じになり、最低域が出ていないように聴こえる。更に、芯線に太い線を使用すると、低域及び最低域とも満足に出るが、高域が出なくなってしまう。そして、その中間の太さの芯線で製作すると、中域は出るが、低域と高域は太い芯線の低域、細い芯線の高域には及ばず、どのようにしても従来の単線ケーブルでは、聴感上において全帯域を満足にカバーすることができなかった。
【０００４】
【発明が解決しようとする課題】
そこで本発明の課題は、断線事故の心配を軽減すると共に、単線の音の良さを生かしながら聴感上、上述の従来の単線ケーブルの欠点を解決し、十分に広帯域で満足な信号伝達を可能にして、なおかつ発展的に音色も好みに合わせて色々な特性のラインケーブルを提供できるようにすることにある。
【０００５】
【課題を解決するための手段】
上記課題を解決するため、本発明のラインケーブルは、少なくとも２本のコア線材を任意なピッチで撚り合わせたコア部材と、少なくとも２本の上記コア線材より細い径の信号線材を上記コア線材の撚りピッチより短いピッチで撚り合わせた信号線材とを備え、上記信号線材をコア線材の撚り合わせにより形成された窪み状の溝に沿わせて巻き付けたことを要旨とする。
本発明において、前記信号線材は０．８ｍｍ以下の線径であるのが好適である。
また前記コア線材と信号線材の撚り方向を逆にしてもよい。
更に前記コア部材は電気的に未使用としてもよい。
なお上記ラインケーブルはオーディオ信号だけでなく、映像信号の伝送に使用しても効果的である。
【０００６】
【発明の実施の形態】
本発明者は、従来の単線のラインケーブルがハイファイオーディオ等における必要帯域をカバーすることができない原因を調べるため色々なテストをした結果、高域が良く出る細い線２本を撚って２本撚り線として、この線を信号伝達用導体（信号線材）として低域が良く出る太い線（コア線材）に巻き付けるとそれぞれの再生帯域を加え合ったように全帯域を十分満足できるものが得られることを発見した。この場合、太い線はコア部材として信号線材の巻き付け用として使用し、原則として電気的には使用しないが、用途によってコア部材として電線を使用した時は電気的に使用することもできる。
【０００７】
また音質上、信号線材として２本撚りとすることが必要な理由は、仮に単線１本を信号線材として断面が円形状のコア線材に巻き付けると、両者の接触箇所が線状となり、２本撚りの信号線材を巻き付けた場合は接触箇所が点状になる違いがあるが、前者の単線１本巻き付けと、２本撚り巻き付けのラインケーブルを聴き比べた所、音質上大きな違いがあり、圧倒的に２本撚り巻き付けのラインケーブルの方が良いことが判明したことにある。この音質向上の理由は、線状接触はきつく接触していると、信号線材とコア線材との固有の響きが、響き合わないでダンプ（押さえつけられる）される方向に働くのに対し、点状接触は夫々の音の響き合いと抑制が適度に旨い具合に行われるからと推測される。
【０００８】
そこで前記２本の撚り信号線材を様々なコア線材に巻き付けて更にテストを重ねた所、２本撚りの信号線材にはコア線材固有の響きが加わることが確認できた。しかもコア線材の選択により低域、高域等の必要帯域のコントロールだけでなく、幅広い音色のコントロール、例えば、軟らかい音、堅い音、ゆったりした音、きらびやかな音、重量感のある音等々を簡単に生成できることを発見した。
【０００９】
このようにコア線材に撚り信号線を巻き付ける方法で、従来より優れた音のラインケーブルが得られることが判明したが、ここで下記の問題点が出てきた。
上記ラインケーブルの実際の使用にあたっては、シールドや外被をかけなければならないが、円形状断面の単芯のコア線材に、信号線材を巻き付けると、介在物を用いない限り、どのようにしても外被の内側に信号線材が直接接触してしまい音質的な影響を大きく受けてしまう。また介在物を用いるとコスト上昇を招くばかりでなく、これも音質的な影響を受け音が悪くなることが多い。
【００１０】
また他の問題点として以下に述べることがあり、これらはラインケーブルの電気的特性が乱れる原因になる。
まず、信号線材はコア線材にきつく巻き付けないと巻けないが、コア線材が軟らかいとコア線材が撚れてしまうことがある。
また、コア線材と信号線材が滑りやすいと、一定のピッチで撚って巻き付けるのが難しく、撚りピッチが安定しない。たとえ、一時的に一定のピッチで巻き付けたとしても製品の加工中や、使用中に部分的に動いてしまう。
更に、電気的に静電容量を少なくするために２本の信号線を、スペースを取るために離してコア線材に撚って巻き付けようとすると、安定した撚りピッチで巻き付けるのが難しく、また、加工中や、使用中に撚りピッチが部分的に動いてしまう。
【００１１】
そこでこれらの問題点を解決するため、コア線材についても次のような工夫をした。
即ち、コア線材を２本又は３本使用して、これを必要なピッチで撚り、その結果形成された撚りの窪み状の溝に沿わせて、２本又は３本撚りの信号線材を巻き付けて本発明のラインケーブルを構成する。
かかるラインケーブルの構成とすることにより上述の諸問題は解決できた。
【００１２】
即ち、上述のような構成とすれば、コア線材として円形断面の線材（例えば、マグネットワイヤー等）を、２本又は３本撚りで形成するのは難しいことではない。また信号線材はその撚り溝に沿って挟み込むように巻き付けるので、巻き付けるテンションも単芯のコア線材に巻き付けるよりも調整できる。従って滑りやすいコア線材や比較的軟らかいコア線材等でも安定したピッチで信号線材を巻き付けることができるので、使用可能なコア線材の選択範囲が拡大し、その音色のコントロール範囲も広げることができる。
【００１３】
更に、コア線材と信号線材の線径を適切に選ぶことにより、信号線材同士の距離や、信号線材とラインケーブルの外被との距離をコントロールすることができる。従って信号線材がラインケーブルの外被と直線接触するようにもできるし、しないようにも、どちらでもできる。また線材間の静電容量もある程度コントロールすることができるので、ラインケーブルとしたときの音質や、特性インピーダンス等の電気的特性の設計の自由度が大きくとれる。
【００１４】
図１（ａ），（ｂ）乃至図３（ａ），（ｂ）は本発明のラインケーブルの各実施例を示す。各図の実施例において、１は２本のコア線材１ａ，１ｂを所定のピッチで撚り合わせたコア部材、２は、２本の上記コア線材より細い径の信号線材２ａ，２ｂを上記コア線材の撚りピッチより短いピッチで撚り合わせた信号線部材である。
【００１５】
信号線材２ａ，２ｂは、コア線材１ａ，１ｂの撚り合わせにより形成された窪み状の溝３に沿わせて巻き付けてある。なお上記ラインケーブルの外被は図示を省略した。
【００１６】
図４は本発明のラインケーブルの一実施態様を示す。同図において、４は信号源としてのＣＤプレーヤ，ＦＭチューナー等及び前置増幅器、５は主電力増幅器、６Ｌ，６Ｒはスピーカで、夫々を接続するラインケーブル７，８は上述した構成であり、上記４及び５にはアンバランス型入出力端子を使用しているので、各ラインケーブルのコア部材７ａ，８ａは電気的には使用していない。即ち、電気信号は流さない。
【００１７】
図５は本発明のラインケーブルの他の実施態様であり、４及び５にはバランス型入出力端子を使用しているので、各ラインケーブルのコア部材７ａ，８ａはアース電位の接続のために使用する。
【００１８】
なお、上記構成のラインケーブルを使用して最高域の音声を再生するためには、信号線材として０．８ｍｍ以下の線径とする必要がある。それより太い線径のものを使用すると高域が出なくなる。この場合、信号線材を２本使用しても高域が出なくなることはなく聴感上では同じであり、しかも２本を撚っているので強度は高くなる。
【００１９】
また、本発明のラインケーブルは静電容量を同軸ケーブルと同じ位小さくできるので、音声アナログ信号だけでなく、ディジタル信号のラインケーブルとしても使用できる。実際にバランスケーブルを作ってディジタル回路に使用したら大変良い結果が得られた。
更に、信号線材とコア線材の撚り方向は同一でも、逆でもよいが、接触の具合から見ると両者の撚り方向は逆の方がよい。
【００２０】
【発明の効果】
以上説明したように本発明のラインケーブルによれば、低域から高域まで全帯域において、聴感上良好な音声を再生でき、しかも好みの音色も出すことができ、またディジタル信号の伝送用としても使用可能で、更には映像信号の伝送用としても有効であり、実用上の効果は顕著である。
【図面の簡単な説明】
【図１】本発明の一実施例を示す図で、（ａ）はその側面図、（ｂ）はＡ−Ａ拡大端面図である。
【図２】本発明の他の実施例を示す図で、（ａ）はその側面図、（ｂ）はＢ−Ｂ拡大端面図である。
【図３】本発明の更に他の実施例を示す図で、（ａ）はその側面図、（ｂ）はＣ−Ｃ拡大端面図である。
【図４】本発明の一実施態様を示すブロック図である。
【図５】本発明のラインケーブルの他の実施例のブロック図である。
【符号の説明】
１  コア部材
１ａ  コア線材
１ｂ  コア線材
２  信号線部材
２ａ  信号線材
２ｂ  信号線材
３  コア線材の撚りにより形成された窪み状の溝
【図１】
2004273240.tif 000003
【図２】
2004273240.tif 000004
【図３】
2004273240.tif 000005
【図４】
2004273240.tif 000006
【図５】
2004273240.tif 000007